(57)【要約】【課題】ロール状に巻きつけられた５．ロールペーパーなどを片手で切れるようにしたカッターを使用する際に、１２．ペーパーの先端などをカッターの１１．隙間にセットする必要があり、先端がやわらかいペーパーや引っ付きやすいビニールなどを通すのには不備があった。【解決手段】カッターのペーパーを通す１１．隙間部分に、横からペーパーをスライドしてセットできるように６．切り込みを設け、ペーパーが簡単に３．カッターにセットできるようにする。また、４．カッター自体を１．ペーパーホルダーに取り付け、ペーパーを挟み込む隙間自体をなくすことにより、カッターへのペーパーのセットを簡略化して課題を解決する。【選択図】    図１
2005021607.tif 000002
【特許請求の範囲】
【請求項１】
ロール状に巻かれたペーパーなどを片手で切れるようにしたカッターで、カッターにペーパーをセットする際に、横からペーパーをスライドさせカッターの隙間にセットできるようにしたカッター。
【請求項２】
ロール状に巻かれたペーパーなどを片手で切れるようにしたカッターで、ペーパーホルダー自体に本カッターを取り付け、ペーパーなどを引き出しカッターの上にのせるだけで使用可能にしたカッター。
【発明の詳細な説明】
【技術分野】
【０００１】
本発明は、ロール状に巻き取られたトイレットペーパーやキッチンペーパー、ビニール袋などを片手で簡単に切るためのカッターに関するものである。
【背景技術】
【０００２】
紙材やビニール材などをロール状に巻き取ったトイレットペーパーやキッチンペーパー、ビニール袋などをロールから引き出しカットする際に、ペーパーを切るときにカッターを押さえる力を利用して、ペーパーが巻かれているロールの回転を止め、カッターの刃の部分でペーパーを片手で切ることができるカッターがあった。その片手で切れるカッターを利用するためには、あらかじめカッター部分の狭い隙間に、ペーパーの先端を通しセットする必要があった。
【発明の開示】
【発明が解決しようとする課題】
【０００３】
従来の片手で切れるカッターを使用し、ロール状に巻きつけられたペーパーなどを切るには、あらかじめペーパーなどの先端をカッター部分の狭い隙間にセットする必要があり、その際にトイレットペーパーなどのやわらかい素材の先端を、カッター部分の狭い隙間に通さなくてはならないため、先端が曲がってペーパーが隙間にうまく通らなかったり、ビニールなどの高分子素材では、静電気などによって引っ付いてしまい狭い隙間に通りにくかった。また、ペーパーなどはカッター部分の後方から隙間に通すため、通しにくく不便であった。その分、ペーパーなどの先端をカッターにセットする際に、カッター部分に必要以上に触れなくてはならず、トイレなどの使用においては衛生的に問題があった。また、トイレ用の場合、トイレという限られた空間でのセット作業となるので、カッターにトイレットペーパーをセットする作業はできるだけ体を動かさずに簡単にセットできる必要があった。
【０００４】
本発明は、上記課題に不備を感じてなされたものであり、ロール状に巻かれたトイレットペーパーやキッチンペーパー・ビニール袋などに片手で切れるカッターを使用するため、ペーパーの先端などをカッターにセットする際に、簡単にセットができるカッターの提供を課題とする。
【課題を解決するための手段】
【０００５】
請求項１の発明において、ペーパーなどを片手で切ることが可能なカッターに、１２．ペーパーの先端をセットする際、３．カッターの１２．ペーパーの先端を通す狭い１１．隙間部分に、貫通した６．切り込みを設けることにより、その６．切り込みから１２．ペーパーの先端をスライドさせ、３．カッターの１１．隙間にセットできるようにする。
【０００６】
ペーパーなどを切る力を利用して、５．ロールペーパーの回転を止めて片手で切れるカッターにおいて、１．ペーパーホルダーの２．ベラに取り付けられた３．カッターに、１２．ペーパーの先端をセットする際に、１２．ペーパーの先端など持ったまま横などからスライドさせ、３．カッターの１１．隙間にセットできるようにしたものを特徴とするものである。
【０００７】
請求項２の発明において、ペーパーなどを片手で切ることが可能なカッターに、カッターの１２．ペーパーの先端を通す狭い１１．隙間を無くし、１２．ペーパーの先端を４．カッターの上にのせるだけで、ペーパーのセットを簡略化し同じように片手で切れるようにする。
【０００８】
ペーパーなどを切る力を利用して、ロールの回転を止めて片手で切れるカッターにおいて、１．ペーパーホルダー自体に４．カッターを取り付け、１２．ペーパーの先端をセットしなくてはならなかった１１．隙間をなくしたものを特徴とするものである。
【０００９】
本発明にかかわる片手で切れるカッターの実施形態としての一例を、以下に、図面に基づいて詳細に説明する。
【００１０】
請求項１において、図１に示すように、１．ペーパーホルダーの２．ベラの部分に３．カッターを取り付けます。１２．ペーパーの先端を引き出し、先端を持ちながら３．カッターの６．切り込み部分からペーパーをスライドさせ、カッターの１１．隙間部分にセットし使用可能とします。使用時には、１２．ペーパーの先端を５．ロールペーパーに対してまっすぐに引き出し、ペーパーを下の方に引くことにより、７．ロールストッパーが５．ロールペーパーの回転を止め、片手でペーパーなどが切れるようになります。次に使用するときは、３．カッターの１０．ペーパー取り出し口から１２．ペーパーの先端を取り出し、まっすぐに引き出し使用します。
【００１１】
切り込みの位置は、ペーパーをスライドさせ、カッターにセットさせれるのであれば、左右上下など特に指定しない。
【００１２】
請求項２において、図２に示すように、１．ペーパーホルダー自体に４．カッターを取り付け、１２．ペーパーの先端を引き出し使用可能とします。使用時には、１２．ペーパーの先端を５．ロールペーパーに対してまっすぐに引き出し、ペーパーを下の方に引くことにより、７．ロールストッパーが５．ロールペーパーの回転を止め、片手でペーパーなどが切れるようになります。次に使用するときは、４．カッターの上にある１２．ペーパーの先端をまっすぐに引き出し使用します。
【００１３】
カッターの刃の形は特に指定せず、直線でも円形でもかまわない。またカッターの刃自体に、図１３のような細かいギザギザの刃を設けてもよい。
【００１４】
ペーパー自体の材質や大きさなどは指定せず、ロール状に巻かれているものであれば紙材やビニール材など特にかまわない。
【発明の効果】
【００１５】
以上本発明により、以下の効果を得ることができる。
【発明を実施するための最良の形態】
【００１６】
請求項１の発明によれば、ロール状に巻きつけられた５．ロールペーパーを、１．ペーパーホルダーにセットし、５．ロールペーパーをカッターの１１．隙間部分にセットする際に、１２．ペーパーの先端を持って、横からペーパーをスライドさせ、３．カッターの１１．隙間部分にセットできるようになることで、弱い素材のペーパーや引っ付きやすいビニールなどを、カッターの１１.隙間に通すわずらわしさが解消され、ペーパーを３．カッターにセットする作業・時間が簡潔化され、それにともないカッターの余分な部分を触れる必要がなくなり衛生的な問題が解決されます。
【００１７】
請求項２の発明によれば、ロール状に巻きつけられた５．ロールペーパーを、１．ペーパーホルダーにセットし、１２．ペーパーの先端を少し引き出すだけで、片手で切れるカッターの使用が可能となり、面倒であったカッターへのペーパーのセットが簡略化され、トイレなどの限られた空間でも簡単にセットができるようになります。
【図面の簡単な説明】
【００１８】
【図１】本発明の請求項１に関するカッターの取り付け立体図である。
【図２】本発明の請求項２に関するカッターの取り付け立体図である。
【図３】図１の断面図である。
【図４】図２の断面図である。
【図５】本発明の請求項１に関するカッターの立体図である。
【図６】本発明の請求項１に関するカッターの右側面図である。
【図７】本発明の請求項１に関するカッターの左側面図である。
【図８】本発明の請求項１に関するカッターの正面図である。
【図９】本発明の請求項１に関するカッターの左右対称立体図である。
【図１０】本発明の請求項２に関するカッターの立体図である。
【図１１】本発明の請求項２に関するカッターの側面図である。
【図１２】本発明の請求項２に関するカッターの正面図である。
【図１３】カッターの見本図である。
【符号の説明】
【００１９】
１    ペーパーホルダー
２    ベラ
３    請求項１のカッター
４    請求項２のカッター
５    ロールペーパー
６    切り込み
７    ロールストッパー
８    ベラ取り付け部分
９    カッター刃
１０  ペーパー取り出し口
１１  隙間
１２  ペーパーの先端
【図１】
2005021607.tif 000003
【図２】
2005021607.tif 000004
【図３】
2005021607.tif 000005
【図４】
2005021607.tif 000006
【図５】
2005021607.tif 000007
【図６】
2005021607.tif 000008
【図７】
2005021607.tif 000009
【図８】
2005021607.tif 000010
【図９】
2005021607.tif 000011
【図１０】
2005021607.tif 000012
【図１１】
2005021607.tif 000013
【図１２】
2005021607.tif 000014
【図１３】
2005021607.tif 000015